(57)【特許請求の範囲】
【請求項１】
本体フレーム内に、ファンと、ファンを回転駆動させる駆動装置とが設けられ、
本体フレームに開口部が形成され、
開口部とファンとの間に、一端が開口部側に連通するとともに他端がファン側に連通して空気の流路を形成する筒状部材が配置され、
ファンと駆動装置と筒状部材とは共通のファン架台に支持されており、
開口部の周縁部と筒状部材の一端との間に、弾性体からなる振動吸収体が設けられ、
振動吸収体は、一方の差込溝を有する一方の接続部と、他方の差込溝を有する他方の接続部と、一方および他方の接続部の径方向における厚みよりも薄く且つ一方の接続部と他方の接続部との間に一体に連設されて径方向および流路方向に弾性変形自在な振動吸収部とを有し、
開口部の周縁部が一方の差込溝に差し込まれるとともに筒状部材の一端の周縁部が他方の差込溝に差し込まれることによって、振動吸収体が接続される
ことを特徴とするファン装置の取付構造。
【請求項２】
開口部の周縁部と筒状部材の一端の周縁部とは、略同形状で、且つ、略同じ大きさであって、
振動吸収部は一方の接続部の内周部と他方の接続部の外周部との間に一体に連設されて、振動吸収体の径方向の断面はＮ形状に形成されている
ことを特徴とする請求項１に記載のファン装置の取付構造。
【請求項３】
本体フレーム内に、ファンと、ファンを回転駆動させる駆動装置とが設けられ、
本体フレームに開口部が形成され、
開口部とファンとの間に、一端が開口部側に連通するとともに他端がファン側に連通して空気の流路を形成する筒状部材が配置され、
ファンと駆動装置と筒状部材とは共通のファン架台に支持されており、
開口部の周縁部の形状と筒状部材の一端の周縁部の形状とは円形状で、且つ、略同じ大きさであり、
開口部の周縁部と筒状部材の一端との間に、弾性体からなる振動吸収体が設けられ、
振動吸収体は、一方の差込溝を有する一方の接続部と、他方の差込溝を有する他方の接続部と、これら両接続部間に形成された振動吸収部とを有し、
開口部の周縁部が一方の差込溝に差し込まれるとともに筒状部材の一端の周縁部が他方の差込溝に差し込まれることによって、振動吸収体が接続される
ことを特徴とするファン装置の取付構造。
【請求項４】
振動吸収体の一方の差込溝および他方の差込溝は開口部の周縁部および筒状部材の一端の周縁部に対して径方向に差し込まれることを特徴とする請求項１から請求項３のいずれか１項に記載のファン装置の取付構造。
【請求項５】
振動吸収部の他方の接続部側の他端部の外径が、一方の接続部側の一端部の内径より大きいことを特徴とする請求項４に記載のファン装置の取付構造。
【発明の詳細な説明】
【技術分野】
【０００１】
本発明は、例えば空気調和機等に設けられるファン装置の取付構造に関する。
【背景技術】
【０００２】
従来、ファン装置の取付構造としては例えば図１６に示すように、台枠１１上に吸振体１２を介してファン架台１３が設置され、ファン架台１３上に送風機のケーシング１４が設置されている。これらファン架台１３とケーシング１４とは外装箱１５の内部に設けられている。
【０００３】
外装箱１５には開口部１６が形成され、開口部１６はケーシング１４の吐出口１７に対向している。開口部１６と吐出口１７との間には振動吸収体１８が設けられている。振動吸収体１８は、布製の筒状のキャンバス１９と、キャンバス１９の両端に設けられたフランジ２０，２１とを有している。各フランジ２０，２１は複数の帯板２２とねじ２３とでキャンバス１９に取り付けられている。
【０００４】
振動吸収体１８の一方のフランジ２０は、外装箱１５側に設けられた開口部フランジ２４に、複数のボルト・ナット２５によって接続されている。また、振動吸収体１８の他方のフランジ２１は、ケーシング１４側に設けられた吐出口フランジ２６に、複数のボルト・ナット２７によって接続されている。
【０００５】
これによると、送風機を作動させることにより、空気がケーシング１４の吐出口１７から開口部１６を通って外装箱１５の外部へ吐出される。この際、ケーシング１４の振動は振動吸収体１８によって吸収されるため、外装箱１５の振動を抑制することができる。
【０００６】
また、別のファン装置の取付構造としては例えば図１７に示すように、ケーシング１４の吐出口１７の外周部に吐出フランジ３０が設けられ、吐出フランジ３０に環状のキャンバス３１（振動吸収体）の一端が接着されている。キャンバス３１の他端は外装箱１５の開口部１６の周縁部に当接している。
【０００７】
尚、上記図１６，１７に示したようなファン装置の取付構造は、例えば下記特許文献１に開示されている。
また、他のファン装置の取付構造としては例えば図１８に示すように、外装箱１５の開口部１６に、ダクトフランジ３３がボルト３６で取り付けられ、ダクトフランジ３３と外装箱１５との間にフォーム３４（振動吸収体）が挟まれて取り付けられている。フォーム３４は、円環状に形成され、ケーシング１４の吐出口１７の外径よりも僅かに小さい直径を有する孔部３５を備えている。
【０００８】
これによると、ケーシング１４の吐出口１７が、外装箱１５の開口部１６に挿入され、さらに、フォーム３４の孔部３５に挿入されている。これにより、フォーム３４の孔部３５の周縁部がケーシング１４の吐出口１７の外周に当接してシールされる。
【特許文献１】実開平１−７１１９９
【特許文献２】実開平１−１３４８１６
【発明の開示】
【発明が解決しようとする課題】
【０００９】
しかしながら上記図１６に示した従来形式のものでは、振動吸収体１８を取り付けるためには、フランジ２０，２１，２４，２６、帯板２２、ねじ２３、ボルト・ナット２５，２７が必要となり、部品点数が多く、取付けに手間と時間を要するといった問題がある。
【００１０】
また、上記図１７に示した従来形式のものでは、キャンバス３１の他端は外装箱１５の開口部１６の周縁部に当接しているだけであり、キャンバス３１と外装箱１５の開口部１６の周縁部とは接続されていないため、振動によってシール性が低下して空気が漏出する虞れがある。
【００１１】
さらに、上記図１８に示した従来形式のものでは、フォーム３４の孔部３５の周縁部はケーシング１４の吐出口１７の外周に当接しているだけであり、フォーム３４とケーシング１４の吐出口１７の外周とは接続されていないため、振動によってシール性が低下して空気が漏出する虞れがある。また、フォーム３４を取り付けるためには、ダクトフランジ３３とボルト３６とが必要となり、部品点数が多く、取付けに手間と時間を要するといった問題がある。
【００１２】
本発明は、ファンの振動を吸収する振動吸収体を容易に取り付けることができ、振動吸収体のシール性が向上するファン装置の取付構造を提供することを目的とする。
【課題を解決するための手段】
【００１３】
上記目的を達成するために、本第１発明は、本体フレーム内に、ファンと、ファンを回転駆動させる駆動装置とが設けられ、
本体フレームに開口部が形成され、
開口部とファンとの間に、一端が開口部側に連通するとともに他端がファン側に連通して空気の流路を形成する筒状部材が配置され、
ファンと駆動装置と筒状部材とは共通のファン架台に支持されており、
開口部の周縁部と筒状部材の一端との間に、弾性体からなる振動吸収体が設けられ、
振動吸収体は、一方の差込溝を有する一方の接続部と、他方の差込溝を有する他方の接続部と、一方および他方の接続部の径方向における厚みよりも薄く且つ一方の接続部と他方の接続部との間に一体に連設されて径方向および流路方向に弾性変形自在な振動吸収部とを有し、
開口部の周縁部が一方の差込溝に差し込まれるとともに筒状部材の一端の周縁部が他方の差込溝に差し込まれることによって、振動吸収体が接続されるものである。
これによると、ファンを回転駆動することにより、空気が本体フレームの開口部から吸引又は吐出される。この際、ファンと駆動装置と筒状部材とは共通のファン架台に支持されているため、ファンが振動すると、筒状部材はファンと同期して振動する。この筒状部材の振動は振動吸収体によって吸収されるため、筒状部材から本体フレームに伝わる振動が低減され、本体フレームの振動が抑制される。
【００１４】
また、本体フレームの開口部の周縁部を振動吸収体の一方の差込溝に差し込み、筒状部材の一端の周縁部を振動吸収体の他方の差込溝に差し込むだけで、振動吸収体を本体フレームと筒状部材とに接続することができるため、振動吸収体の取り付けが容易である。
【００１５】
本第２発明は、開口部の周縁部と筒状部材の一端の周縁部とは、略同形状で、且つ、略同じ大きさであって、
振動吸収部は一方の接続部の内周部と他方の接続部の外周部との間に一体に連設されて、振動吸収体の径方向の断面はＮ形状に形成されているものである。
これによると、開口部の周方向の長さと筒状部材の一端の周方向の長さとがほぼ同じ長さになる。したがって、一本の長尺状の素材を開口部と筒状部材の一端との形状に応じて曲げることにより振動吸収体を形成する場合、上記長尺状の素材を開口部の周方向の長さ又は筒状部材の一端の周方向の長さに合わせて切断するだけで、開口部と筒状部材の一端とに接続可能な振動吸収体が形成される。したがって、切断する素材の長さを変えることにより、複数種類のサイズの開口部と筒状部材とに応じて、それぞれサイズの異なる複数種類の振動吸収体を容易に取り付けることができる。
【００１６】
本第３発明は、本体フレーム内に、ファンと、ファンを回転駆動させる駆動装置とが設けられ、
本体フレームに開口部が形成され、
開口部とファンとの間に、一端が開口部側に連通するとともに他端がファン側に連通して空気の流路を形成する筒状部材が配置され、
ファンと駆動装置と筒状部材とは共通のファン架台に支持されており、
開口部の周縁部の形状と筒状部材の一端の周縁部の形状とは円形状で、且つ、略同じ大きさであり、
開口部の周縁部と筒状部材の一端との間に、弾性体からなる振動吸収体が設けられ、
振動吸収体は、一方の差込溝を有する一方の接続部と、他方の差込溝を有する他方の接続部と、これら両接続部間に形成された振動吸収部とを有し、
開口部の周縁部が一方の差込溝に差し込まれるとともに筒状部材の一端の周縁部が他方の差込溝に差し込まれることによって、振動吸収体が接続されるものである。
これによると、一本の長尺状の素材を開口部と筒状部材の一端との形状に応じて湾曲させて円環状に形成することにより、振動吸収体を容易に形成して開口部と筒状部材の一端とに接続することができる。また、振動吸収体には、弾性力により径方向に押し広げる力が発生するので、開口部の周縁部を振動吸収体の一方の差込溝に差し込むとともに筒状部材の一端の周縁部を振動吸収体の他方の差込溝に差し込むだけであっても、振動吸収体が不用意に外れる虞は大幅に減少する。
【００１７】
本第４発明は、振動吸収体の一方の差込溝および他方の差込溝は開口部の周縁部および筒状部材の一端の周縁部に対して径方向に差し込まれるものである。
これによると、駆動装置の駆動運転中においては、主に径方向の振動が発生するが、駆動装置の起動時や停止時においては、上記駆動運転中よりも大きな振動が上記径方向に直交する流路方向に発生する。これに対して、振動吸収体の一方の差込溝および他方の差込溝は開口部の周縁部および筒状部材の一端の周縁部に径方向から差し込まれているため、駆動装置の起動時や停止時の振動の方向（すなわち流路方向）と振動吸収体の差し込み方向（すなわち径方向）とが異なる方向となる。これにより、駆動装置の起動時や停止時に発生する流路方向の振動に対しても、振動吸収体が不用意に外れる虞は大幅に減少する。
【００１８】
本第５発明は、振動吸収部の他方の接続部側の他端部の外径が、一方の接続部側の一端部の内径より大きいものである。
これによると、振動吸収体の上部においては、一方の接続部に、常時、自重によって一方の接続部を開口部の周縁部から下方へ離脱させようとする下向きの離脱力が働いており、このような下向きの離脱力に対して、他方の接続部と振動吸収部とによって一方の接続部を上方へ引っ張る引張力が作用するため、一方の接続部が開口部の周縁部から下方へ不用意に離脱する虞は大幅に減少する。
【００１９】
同様に、振動吸収体の下部においては、他方の接続部に、常時、自重によって他方の接続部を筒状部材の一端の周縁部から下方へ離脱させようとする下向きの離脱力が働いており、このような下向きの離脱力に対して、一方の接続部と振動吸収部とによって他方の接続部を上方へ引っ張る引張力が作用するため、他方の接続部が筒状部材の一端の周縁部から下方へ不用意に離脱する虞は大幅に減少する。
【００２０】
また、他方の接続部の内周面から一方の接続部の外周面までの高さを低く抑えることができるため、一本の長尺状の素材を円環状に湾曲させて振動吸収体を形成する際、振動吸収体の変形を低減することができる。
【発明の効果】
【００２１】
以上のように本発明によると、振動吸収体の取り付けが容易であり、本体フレームの開口部の周縁部と筒状部材の一端の周縁部との間における振動吸収体のシール性が向上する。
【発明を実施するための最良の形態】
【００２２】
以下、本発明における第１の実施の形態について、図面を参照して説明する。
図１に示すように、５１は空気調和機であり、その本体ケーシング５２は、外部空気が流入する外気流入口５３と供給空気を送出する送気口５４との間に、上流側から下流側へ順次に、フィルタ室５５、加湿器室５６、コイル室５７、送風機室５８とを有している。
【００２３】
フィルタ室５５の内部には空調用のフィルタ装置６０が設けられ、加湿器室５６の内部には蒸気加湿器６１が設けられ、コイル室５７の内部には冷却コイル６２と再熱コイル６３とが設けられている。
【００２４】
フィルタ室５５と加湿器室５６とコイル室５７と送風機室５８とはそれぞれ本体フレーム６５〜６８からなり、これら本体フレーム６５〜６８が連結されて上記本体ケーシング５２が形成されている。尚、上記各室５５〜５８は、外気流入口５３から送気口５４へ空気が流れるように、連通している。
【００２５】
図１，図２に示すように、送風機室５８の本体フレーム６８の内部には、ファンホイール７０（ファンの一例）と、このファンホイール７０を回転駆動させる電動機７１（駆動装置の一例）とが設けられている。本体フレーム６８は、底部支持部材７３と、上流側に位置する前壁７４と、後壁７５と、左右両側壁７６と、天井壁７７とを有しており、これにより、送風機室５８が形成される。前壁７４には、コイル室５７を通過した空気が流入する円形の入口開口部７８（開口部の一例）が形成されている。尚、上記送気口５４は天井壁７７に形成されており、入口開口部７８から流入した空気は送気口５４から送出される。
【００２６】
底部支持部材７３上には、複数の防振装置８０を介して、ファン架台８１が設けられている。電動機７１は、ファン架台８１に設けられた支持台８２に支持されている。ファンホイール７０は電動機７１の回転軸８３に設けられている。
【００２７】
図３に示すように、ファンホイール７０は、回転自在な円板体８４と、円板体８４に設けられた複数の羽根体８５と、羽根体８５に設けられた導入筒体８６とを有している。導入筒体８６は、入口開口部７８の下流側に対向しており、入口開口部７８側の直径が羽根体８５側の直径より小さくなるように先細りの円錐状に形成されている。
【００２８】
図２，図４に示すように、入口開口部７８とファンホイール７０との間には、上流端（一端）が入口開口部７８側に連通するとともに下流端（他端）がファンホイール７０側に連通して空気の流路８８を形成するベルマウス８９（筒状部材の一例）が配置されている。
【００２９】
ベルマウス８９は、入口開口部７８側の端部の直径がファンホイール７０側の端部の直径よりも大きい円錐状部９０と、円錐状部９０の上流端部（前端部）に設けられた円板状の端部フランジ９１とを有しており、上流端（前端）と下流端（後端）とに円形の開口部が形成されている。ベルマウス８９は左右一対の支持板８７によってファン架台８１上に支持されている。
【００３０】
ベルマウス８９の下流端部（後端部）はファンホイール７０の導入筒体８６の先端部（前端部）に挿入されている。尚、導入筒体８６の先端部の内周面とベルマウス８９の下流端部の外周面との間には、径方向において、僅かな隙間しかない。また、入口開口部７８の周縁部とベルマウス８９の端部フランジ９１（一端）の周縁部とは共に円形状（同形状）であり、入口開口部７８の周縁部の直径Ｄ１と端部フランジ９１の周縁部の外径Ｄ２とはほぼ同じ大きさである。
【００３１】
図２，図５に示すように、入口開口部７８の周縁部とベルマウス８９の上流端（一端）の周縁部との間には、ゴム（弾性体の一例）からなる円環状の振動吸収体９２が設けられている。振動吸収体９２は、一方の差込溝９４を有する円環状の一方の接続部９５と、他方の差込溝９６を有する円環状の他方の接続部９７と、これら両接続部９５，９７間に形成された短円筒状の振動吸収部９８とを有している。
【００３２】
また、振動吸収体９２の径方向Ａの断面はＮ形状に形成されており、振動吸収部９８の上流側端部（一端部）は一方の接続部９５の内周部に一体に連設され、振動吸収部９８の下流側端部（他端部）は他方の接続部９７の外周部に一体に連設されている。また、一方の接続部９５の内径と他方の接続部９７の内径とは同一であり、同様に、両者９５，９７の外径も同一である。尚、図５に示すように、振動吸収部９８の下流側端部（他端部）の外径ｄｏは上流側端部（一端部）の内径ｄｉよりも大きい。
【００３３】
図５〜図７に示すように、一方の差込溝９４は、一方の接続部９５の全周にわたり形成され、一方の接続部９５の外周面に開口している。一方の差込溝９４の幅Ｗ１は外径側ほど狭くなるように形成されている。また、他方の差込溝９６は、他方の接続部９７の全周にわたり形成され、他方の接続部９７の内周面に開口している。他方の差込溝９６の幅Ｗ２は内径側ほど狭くなるように形成されている。また、振動吸収部９８は径方向Ａおよび流路方向Ｂに弾性変形（伸縮）自在である。
【００３４】
入口開口部７８の周縁部が振動吸収体９２の一方の差込溝９４に径方向Ａから差し込まれ、ベルマウス８９の端部フランジ９１（筒状部材の一端）の周縁部が他方の差込溝９６に径方向Ａから差し込まれることによって、振動吸収体９２は、入口開口部７８の周縁部とベルマウス８９の端部フランジ９１とに接続され、入口開口部７８の周縁部とベルマウス８９の端部フランジ９１との間隙を全周にわたり閉じている。
【００３５】
図７，図８に示すように、振動吸収体９２は、接続部９５，９７と振動吸収部９８とを有する一本の長尺状の素材９９を所定長さに切断し、切断した素材９９を入口開口部７８およびベルマウス８９の端部フランジ９１に合わせて湾曲させて円環状に形成し、素材９９の両端面９９ａ，９９ｂを接着剤等で接着したものである。
【００３６】
以下、上記構成における作用を説明する。
これによると、図１に示すように、電動機７１を作動してファンホイール７０を回転駆動することにより、外部空気が、外気流入口５３からフィルタ室５５へ流入し、フィルタ室５５から加湿器室５６、コイル室５７を通過し、さらに、入口開口部７８を通って送風機室５８に吸引され、送気口５４から送出される。これにより、温度と湿度とが調整され且つ塵埃等が除去された空気が送気口５４から送出されてビルや工場等の施設に供給される。
【００３７】
この際、ファンホイール７０の振動は、ファン架台８１に伝わり、ファン架台８１から支持板８７を介してベルマウス８９に伝えられる。これにより、ベルマウス８９はファンホイール７０と同期して振動するため、ベルマウス８９の下流端部が、径方向において、回転しているファンホイール７０の導入筒体８６の先端部に衝突することは防止される。
【００３８】
このようなベルマウス８９の振動は振動吸収体９２によって吸収されるため、ベルマウス８９から本体フレーム６８の前壁７４に伝わる振動が低減され、本体フレーム６８の振動が抑制される。尚、電動機７１の起動時や停止時には、主に径方向Ａに直交する流路方向Ｂ（前後方向）の振動が発生するが、この際には、振動吸収体９２の振動吸収部９８が流路方向Ｂに弾性変形（伸縮）することで、振動が吸収される。また、電動機７１の運転中には、主に径方向Ａの振動が発生するが、この際には、振動吸収部９８が径方向Ａに弾性変形することで、振動が吸収される。
【００３９】
また、上記ファン架台８１の振動は防振装置８０によって吸収されるため、ファン架台８１から本体フレーム６８に伝わる振動が低減され、本体フレーム６８の振動が抑制される。
【００４０】
図５に示すように、本体フレーム６８の入口開口部７８の周縁部を振動吸収体９２の一方の差込溝９４に径方向Ａから差し込み、ベルマウス８９の端部フランジ９１を他方の差込溝９６に径方向Ａから差し込むだけで、振動吸収体９２を本体フレーム６８とベルマウス８９とに接続することができるため、振動吸収体９２の取り付けが容易である。
【００４１】
尚、図６に示すように、一方の差込溝９４の幅Ｗ１は外径ほど狭くなっているため、一方の接続部９５は入口開口部７８の周縁部を前後両側から強固に挟み付けることができ、同様に、他方の差込溝９６の幅Ｗ２は内径ほど狭くなっているため、他方の接続部９７はベルマウス８９の端部フランジ９１を前後両側から強固に挟み付けることができる。これにより、振動吸収体９２の接続力が向上する。
【００４２】
また、図５に示すように、振動吸収体９２の一方の差込溝９４および他方の差込溝９６は入口開口部７８の周縁部およびベルマウス８９の端部フランジ９１の周縁部に径方向Ａから差し込まれているため、電動機７１の起動時や停止時に発生する振動の方向（すなわち流路方向Ｂ）と振動吸収体９２の差し込み方向（すなわち径方向Ａ）とが異なる方向となる。これにより、電動機７１の起動時や停止時に発生する流路方向Ｂの振動に対しても、振動吸収体９２が不用意に外れる虞は大幅に減少する。
【００４３】
また、入口開口部７８とベルマウス８９の端部フランジ９１とは共に円形状であり、入口開口部７８の直径Ｄ１と端部フランジ９１の外径Ｄ２とはほぼ同じ大きさであるため、入口開口部７８の周方向の長さ（全周長さ）と端部フランジ９１の周方向の長さ（全周長さ）とはほぼ同じ長さになる。したがって、図７，図８に示すように、一本の長尺状の素材９９を入口開口部７８の全周長さ又はベルマウス８９の端部フランジ９１の全周長さに応じた所定長さに切断し、切断した素材９９の一方の差込溝９４に入口開口部７８の周縁部を差し込むとともに他方の差込溝９６にベルマウス８９の端部フランジ９１を差し込みながら、切断した素材９９を湾曲させて入口開口部７８の周縁部とベルマウス８９の端部フランジ９１の周縁部とに巻き付けることにより、振動吸収体９２を円環状に形成して接続することができる。したがって、切断する素材９９の長さを変えることにより、複数種類のサイズ（径）の入口開口部７８とベルマウス８９とに応じて、それぞれサイズ（径）の異なる複数種類の振動吸収体９２を容易に取り付けることができる。
【００４４】
このようにして形成され接続された振動吸収体９２には、弾性力により径方向Ａに押し広げる力が発生するので、入口開口部７８の周縁部を振動吸収体９２の一方の差込溝９４に差し込むとともにベルマウス８９の端部フランジ９１の周縁部を振動吸収体９２の他方の差込溝９６に差し込むだけであっても、振動吸収体９２が不用意に外れる虞は大幅に減少する。
【００４５】
また、図５に示すように、振動吸収体９２の上部においては、一方の接続部９５に、常時、自重によって一方の接続部９５を入口開口部７８の周縁部から下方へ離脱させようとする下向きの離脱力Ｆ１が働いているが、このような下向きの離脱力Ｆ１に対して、振動吸収部９８の下流側端部の外径ｄｏが上流側端部の内径ｄｉよりも大きいため、他方の接続部９７と振動吸収部９８とによって一方の接続部９５を斜め上方へ引っ張る引張力Ｆ２が作用する。これにより、一方の接続部９５が入口開口部７８の周縁部から下方へ不用意に離脱する虞は大幅に減少する。
【００４６】
同様に、振動吸収体９２の下部においては、他方の接続部９７に、常時、自重によって他方の接続部９７をベルマウス８９の端部フランジ９１の周縁部から下方へ離脱させようとする下向きの離脱力（図示省略）が働いているが、このような下向きの離脱力に対して、振動吸収部９８の下流側端部の外径ｄｏが上流側端部の内径ｄｉよりも大きいため、一方の接続部９５と振動吸収部９８とによって他方の接続部９７を上方へ引っ張る引張力（図示省略）が作用する。これにより、他方の接続部９７がベルマウス８９の端部フランジ９１の周縁部から下方へ不用意に離脱する虞は大幅に減少する。
【００４７】
また、図６に示すように、他方の接続部９７の内周面から一方の接続部９５の外周面までの高さＨを低く抑えることができるため、一本の長尺状の素材９９を円環状に湾曲させて振動吸収体９２を形成する際、振動吸収体９２の変形を低減することができる。
【００４８】
上記第１の実施の形態では、図６に示すように、振動吸収体９２の断面がＮ形状に形成されているが、Ｎ形状に限定されるものではなく、Ｍ形状や中空構造を有する円形状に形成されているものでもよい。
【００４９】
上記第１の実施の形態では、図５に示すように、入口開口部７８の直径Ｄ１は端部フランジ９１の外径Ｄ２よりも僅かに小さい（すなわちほぼ同一）が、入口開口部７８の直径Ｄ１とベルマウス８９の端部フランジ９１の外径Ｄ２とが完全に同一であってもよい。
【００５０】
また、第２の実施の形態として、図９に示すように、入口開口部７８の直径Ｄ１が端部フランジ９１の外径Ｄ２よりも大きくてもよい。
また、第３の実施の形態として、図１０に示すように、ベルマウス８９の端部フランジ９１の外周縁に、前方（上流方向）に折り曲げられた屈曲部１０１が形成され、屈曲部１０１が振動吸収体９２の他方の差込溝９６に差し込まれているものでもよい。
【００５１】
また、第４の実施の形態として、図１１に示すように、入口開口部７８の周縁部に、後方（下流方向）に折り曲げられた屈曲部１０２が形成され、屈曲部１０２が振動吸収体９２の一方の差込溝９４に差し込まれているものでもよい。
【００５２】
また、第５の実施の形態として、図１２に示すように、屈曲部１０２が振動吸収体９２の一方の差込溝９４に差し込まれ、屈曲部１０１が振動吸収体９２の他方の差込溝９６に差し込まれているものでもよい。
【００５３】
また、第６の実施の形態として、図１３に示すように、ベルマウス８９の端部フランジ９１の外周縁に、後方（下流方向）に折り曲げられた屈曲部１０３が形成され、屈曲部１０３が振動吸収体９２の他方の差込溝９６に差し込まれているものでもよい。
【００５４】
また、第７の実施の形態として、図１４に示すように、入口開口部７８の周縁部に、前方（上流方向）に折り曲げられた屈曲部１０４が形成され、屈曲部１０４が振動吸収体９２の一方の差込溝９４に差し込まれているものでもよい。
【００５５】
また、第８の実施の形態として、図１５に示すように、屈曲部１０４が振動吸収体９２の一方の差込溝９４に差し込まれ、屈曲部１０３が振動吸収体９２の他方の差込溝９６に差し込まれているものでもよい。
【００５６】
上記各実施の形態では、振動吸収体９２の材質として、弾性体の一例であるゴムを用いているが、弾性と硬度のあるスポンジ等を用いてもよい。
上記各実施の形態では、ファンの一例として、ファンホイール７０が露出したタイプのファンを設けているが、ファンホイールがファンケーシング内に収納されているシロッコファンを設けてもよい。
【００５７】
上記各実施の形態では、本体フレーム６８の開口部の一例として、空気を吸い込むための入口開口部７８を挙げたが、空気を吐出するための出口開口部であってもよい。
上記各実施の形態では、筒状部材の一例として、入口側と出口側との径が異なるベルマウス８９を挙げたが、入口側と出口側との径が同じ円筒部材であってもよい。
【００５８】
上記各実施の形態では、入口開口部７８の周縁部の形状とベルマウス８９の端部フランジ９１の周縁部の形状とを円形状にしているが、円形状以外の形状、例えば多角形状や長円形状等であってもよい。
【００５９】
上記各実施の形態では、空気調和機５１に備えられたファン装置の取付構造を示したが、空気調和機５１に限定されるものではなく、空気調和機５１以外のものに備えられるファン装置であってもよい。
【図面の簡単な説明】
【００６０】
【図１】本発明の第１の実施の形態におけるファン装置を備えた空気調和機の側面図である。
【図２】同、ファン装置の取付構造を示す一部切欠き側面図である。
【図３】同、ファン装置のファンホイールの図である。
【図４】同、ファン装置のベルマウスの一部切欠き側面図である。
【図５】同、ファン装置に取り付けられた振動吸収体の断面図である。
【図６】同、ファン装置の振動吸収体の拡大断面図である。
【図７】同、ファン装置の振動吸収体の正面図である。
【図８】同、ファン装置の振動吸収体の素材の状態の図である。
【図９】本発明の第２の実施の形態におけるファン装置に取り付けられた振動吸収体の断面図である。
【図１０】本発明の第３の実施の形態におけるファン装置に取り付けられた振動吸収体の断面図である。
【図１１】本発明の第４の実施の形態におけるファン装置に取り付けられた振動吸収体の断面図である。
【図１２】本発明の第５の実施の形態におけるファン装置に取り付けられた振動吸収体の断面図である。
【図１３】本発明の第６の実施の形態におけるファン装置に取り付けられた振動吸収体の断面図である。
【図１４】本発明の第７の実施の形態におけるファン装置に取り付けられた振動吸収体の断面図である。
【図１５】本発明の第８の実施の形態におけるファン装置に取り付けられた振動吸収体の断面図である。
【図１６】従来のファン装置の取付構造を示す断面図である。
【図１７】従来のファン装置の取付構造を示す断面図である。
【図１８】従来のファン装置の取付構造を示す断面図である。
【符号の説明】
【００６１】
６８      本体フレーム
７０      ファンホイール（ファン）
７１      電動機（駆動装置）
７８      入口開口部（開口部）
８１      ファン架台
８８      流路
８９      ベルマウス（筒状部材）
９２      振動吸収体
９４      一方の差込溝
９５      一方の接続部
９６      他方の差込溝
９７      他方の接続部
９８      振動吸収部
Ａ        径方向
ｄｏ      振動吸収部の下流側端部の外径（他方の接続部側の他端部の外径）
ｄｉ      振動吸収部の上流側端部の内径（一方の接続部側の一端部の内径）
【図１】
0005106204.tif 000002
【図２】
0005106204.tif 000003
【図３】
0005106204.tif 000004
【図４】
0005106204.tif 000005
【図５】
0005106204.tif 000006
【図６】
0005106204.tif 000007
【図７】
0005106204.tif 000008
【図８】
0005106204.tif 000009
【図９】
0005106204.tif 000010
【図１０】
0005106204.tif 000011
【図１１】
0005106204.tif 000012
【図１２】
0005106204.tif 000013
【図１３】
0005106204.tif 000014
【図１４】
0005106204.tif 000015
【図１５】
0005106204.tif 000016
【図１６】
0005106204.tif 000017
【図１７】
0005106204.tif 000018
【図１８】
0005106204.tif 000019